(57)【要約】【課題】折り畳み椅子の不便を解消するため、腰掛けを出し入れすることを可能とする。【解決手段】畳一畳が固定部１と可動部２に分割され、この可動部２を床面に対して水平状態で略垂直方向に上下動するための上下動手段３が備えられており、上下動手段３によって、可動部２が床面に配置された際に固定部１及び可動部２の表面が面一となって畳一畳を形成し、可動部２が上方に配置された際この可動部２が腰掛けをなすものである。更に、上下動手段３は、可動部２に収納可能な折り畳み式の脚部を有し、この脚部の下部が、固定部１及び可動部２の下面にわたって配された一枚のプレート４によって連結支持されている。【選択図】図２
2006089913.tif 000002
【特許請求の範囲】
【請求項１】
畳一畳が固定部（１）と可動部（２）に分割され、この可動部（２）を床面に対して水平状態で略垂直方向に上下動するための上下動手段（３）が備えられており、前記上下動手段（３）によって、前記可動部（２）が床面に配置された際に前記固定部（１）及び前記可動部（２）の表面が面一となって畳一畳を形成し、前記可動部（２）が上方に配置された際この可動部（２）が腰掛けをなすことを特徴とする腰掛け一体型の畳。
【請求項２】
前記上下動手段（３）は、前記可動部（２）に収納可能な折り畳み式の脚部（３０）を有し、この脚部（３０）の下部が、前記固定部（１）及び前記可動部（２）の下面にわたって配された一枚のプレート（４）によって連結支持されていることを特徴とする請求項１に記載の腰掛け一体型の畳。
【請求項３】
前記脚部（３０）と前記可動部（２）とが弾発部材（３３）で連結されていることを特徴とする請求項２に記載の腰掛け一体型の畳。
【発明の詳細な説明】
【技術分野】
【０００１】
この発明は、腰掛けを出し入れすることのできる腰掛け一体型の畳に関する。
【背景技術】
【０００２】
仏教寺院の本堂や集会場の広間等における畳式の床面では、参拝者等が来訪した際、この来訪者は畳の上に正座したり、足腰が不自由な老人等の場合は折り畳み椅子（例えば、特許文献１参照）を畳に並べて腰を掛けている。
しかし、この折り畳み椅子は出し入れに人手や時間等の手間を要し、更に椅子を収納するためのスペースも確保しなければならない。
【特許文献１】特開２００２−１４２９０４号
【発明の開示】
【発明が解決しようとする課題】
【０００３】
そこで、本発明は、前記した折り畳み椅子の不便を解消するため、腰掛けを出し入れすることのできる腰掛け一体型の畳を提供する。
【課題を解決するための手段】
【０００４】
本発明に係る腰掛け一体型の畳は、前記した課題を解決するため、畳一畳が固定部と可動部に分割され、この可動部を床面に対して水平状態で略垂直方向に上下動するための上下動手段が備えられており、上下動手段によって、可動部が床面に配置された際に固定部及び可動部の表面が面一となって畳一畳を形成し、可動部が上方に配置された際この可動部が腰掛けをなすものである。
【０００５】
好ましくは、上下動手段は、可動部に収納可能な折り畳み式の脚部を有し、この脚部の下部が、固定部及び可動部の下面にわたって配された一枚のプレートによって連結支持されている。
【０００６】
更に好ましくは、脚部と可動部とが弾発部材で連結されている。
【発明の効果】
【０００７】
本発明に係る腰掛け一体型の畳は、上下動手段で可動部を上下動することができ、可動部を床面に配置することにより畳面を形成して、可動部を上方に配置して腰掛けとすることができるので、簡単に腰掛けを出し入れすることができると共に、椅子のための余分な収納スペースを設ける必要もない。そして、通常の畳面としても使用できるので、利便性に優れている。
【０００８】
更に、上下動手段を、可動部に収納可能な折り畳み式の脚部として、この脚部の下部を、固定部と可動部の下面にわたって配された一枚のプレートに連結支持することにより、固定部の自重でプレートが常時押えられているので、可動部を上方へ移動する際の、脚部の持ち上がりを防止することができる。
【０００９】
更に、脚部と可動部とが弾発部材で連結されているので、この弾発部材の弾発力を利用することにより、老人等力の弱い人でも、簡単に可動部を上下動して出し入れすることができる。
【発明を実施するための最良の形態】
【００１０】
以下、添付図面に基づいて、本発明に係る腰掛け一体型の畳を詳細に説明する。
【００１１】
先ず、腰掛け一体型の畳の要旨構成について説明する。図１は、本発明に係る腰掛け一体型の畳を示す説明図であって、図１（ａ）は可動部が床面に配置された状態を示す斜視図、図１（ｂ）は可動部に設けられたつまみ部を示す拡大図である。図２は、腰掛け一体型の畳の可動部が上方に配置され、使用者が可動部に腰を掛けている状態を示す斜視図である。
【００１２】
図１及び図２の如く、この腰掛け一体型の畳は、畳一畳を固定部１と可動部２に分割したもので、可動部２は、上下動手段３によって床面に対して略垂直方向に上下動するよう構成されている。固定部１と可動部２の表面は、いぐさで編んだ畳表で構成されている。固定部１は、通常の畳のように畳床に畳表を付けて構成されているが、図２のように、その全体形状は畳一畳分の大きさの一角部を矩形状に切欠いた、切欠き部１０を有するものである。そして、可動部２は、切欠き部１０と略同じ大きさの矩形状であるので、この可動部２を床面に配置することにより、図１（ａ）のように、可動部２が固定部１の切欠き部１０に嵌め込まれ、固定部１と可動部２が畳一畳分の大きさの矩形状を形成する。本例での畳一畳の大きさは、長辺Ｘが約１８０ｃｍ、短辺Ｙが約９０ｃｍである。
【００１３】
従って、可動部２を床面に配置して固定部１の切欠き部１０に嵌め込んだ状態において、図１（ａ）のように通常の畳一畳として使用できる。そして、可動部２及び切欠き部１０は、図２の如く、長辺Ｘ１が約１２０ｃｍ、短辺Ｙ１が約４５ｃｍであって、可動部２に２，３人が腰を掛けることができるよう構成されている。又、可動部２を上方に配置して腰掛けとして使用する際、固定部１の切欠き部１０以外の部分を通路として使用できる。
【００１４】
図１の如く、可動部２の表面には、一対のつまみ部２０，２０が設けられている。このつまみ部２０は、図１（ｂ）の如く、本体部２０ａから出没可能なものであって、本体部２０ａの上面２０ｂが、可動部２の表面に面一となるよう埋設されている。そして、つまみ部２０の上面を一回押す毎に、つまみ部２０が本体部２０ａから出没するよう構成されており、つまみ部２０は、常時では邪魔にならないよう本体部２０ａに収納され、可動部２を出し入れする際には可動部２表面から突出させて、使用者がこのつまみ部２０を摘んで可動部２を上下動するよう構成されている。
【００１５】
次に、可動部２と上下動手段３を詳細に説明する。図３は、可動部を上方に配置した状態を示す断面図であって、図３（ａ）は長辺方向の断面図、図３（ｂ）は図３（ａ）のＡ−Ａ線断面図である。図４は、可動部を上方に配置した状態を下方から示す斜視図である。
【００１６】
図３及び図４の如く、可動部２は上板及び四側板を有する金属製の枠体２１を備えており、この枠体２１の長辺方向両側には、下方にのびる脚部３０が設けられている。この脚部３０は、その一端部が枠体２１に設けられた軸３０ａによって回転可能に支持されている。又、脚部３０の他端部には、車輪３１が設けられている。そして、一枚の金属製のプレート４が固定部１と可動部２の下面にわたって配されている。このプレート４の上面には、レール３２が設けられており、このレール３２に沿って脚部３０の車輪３１が移動可能なよう配されている。
【００１７】
図３（ｂ）の如く、脚部３０は、枠体２１の短辺方向両側に設けられており、一対の脚部３０，３０’で構成されている。脚部３０’は、脚部３０と同様に軸３０ａ’で枠体２１に回転支持され、レール３２’に沿う車輪３１’が設けられている。脚部３０，３０’は、水平方向にのびる連結部３４によって中央部が連結されている。そして、一対のバネ３３，３３’が設けられており、一端部が枠体２１に、他端部が連結部３４に取り付けられている。このバネ３３，３３’は引きバネで、引き伸ばしに対して戻る方向３３ａに付勢されている。
【００１８】
図３（ａ）のように、可動部２を上方に配置した際、脚部３０はバネ３３の弾発力によって軸３０ａを中心に矢印３０ｃの方向に付勢され、その状態でレール３２に設けられたストッパ３２ａによって車輪３１が移動しないよう規制され、脚部３０が固定される。それによって、可動部２が水平状態で上方に位置固定され、使用者が腰を掛けることのできる腰掛けを形成する。この脚部３０の長さは約４０ｃｍで、可動部２が高さ約４０ｃｍで位置固定され、使用者が腰を掛け易い構成となっている。そして、図３（ａ）のように、各脚部３０はハの字状に若干開いた状態で固定されるので（角度αは約９５度）、可動部２はより安定して強固に固定され、使用者は安全に腰を掛けることができる。
【００１９】
図３（ａ）の如く、可動部２を床面に配置する際には、各脚部３０の下部を内側に押して各車輪３１を矢印３１ａの方向に移動させながら、可動部２の上方から力を加えることによって、脚部３０が軸３０ａを中心に矢印３０ｂの方向に回転し、各脚部３０が水平方向になって枠体２の内部に収納される。
そして、可動部２を上方に配置する際には、つまみ部２０（図１参照）を突出させて、このつまみ部２０を摘んだ状態で可動部２を持ち上げ、それによって脚部３０が略垂直方向にのびるよう配置される。その際、バネ３３の弾発力によって比較的軽く可動部２を水平状態で持ち上げることができる。又、プレート４は固定部１の自重によって押え付けられ、このプレート４に設けたレール３２は上壁を備え（図３（ｂ）参照）、このレール３２に脚部３０の車輪３１が嵌め込まれているので、可動部２を上方に持ち上げても、脚部３０はレール３２の上壁に固定され離脱することがない。
【００２０】
図５は、図１のＢ部を示す一部拡大断面図である。前述したように、可動部２は金属製の枠体２１を備えており、この枠体２１の上板は厚さ約１〜３ｍｍである。そして、図５の如く、枠体２１の外面を覆うように、ウレタンゴム等からなる厚さ約２ｃｍのクッション材２２が設けられている。更にこのクッション材２２を、畳表２３が覆っており、枠体２１、クッション材２２及び畳表２３を連結部材２４で一体としている。又、固定部１と可動部２の間は、若干の隙間ｔ（ｔ＝約１ｍｍ）が設けられており、可動部２が上下動し易いようになっている。
【００２１】
前記した可動部２は、円状や多角形状でもよく、又一人掛け用に径が５０ｃｍ位でもよい。又、固定部１の中央等に可動部２を設けた構成でもよい。そして、上下動手段３は、脚部３０をクロス状に組み合わせたもの等でもよい。
【図面の簡単な説明】
【００２２】
【図１】本発明に係る腰掛け一体型の畳を示す説明図であって、（ａ）は可動部が床面に配置された状態を示す斜視図、（ｂ）は可動部に設けられたつまみ部を示す拡大図である。
【図２】腰掛け一体型の畳の可動部が上方に配置され、使用者が可動部に腰を掛けている状態を示す斜視図である。
【図３】可動部を上方に配置した状態を示す断面図であって、（ａ）は長辺方向の断面図、（ｂ）は（ａ）のＡ−Ａ線断面図である。
【図４】可動部を上方に配置した状態を下方から示す斜視図である。
【図５】図１のＢ部を示す一部拡大断面図である。
【符号の説明】
【００２３】
１・・・固定部
２・・・可動部
３・・・上下動手段
４・・・プレート
１０・・・切欠き部
３０・・・脚部
３３・・・弾発部材
【図１】
2006089913.tif 000003
【図２】
2006089913.tif 000004
【図３】
2006089913.tif 000005
【図４】
2006089913.tif 000006
【図５】
2006089913.tif 000007